(57)【要約】【課題】組立て部材のサイズに大きなばらつきがなく簡単にまとめて包装することができ、且つ簡単に組立てられ、また引出し体を静かにスムーズにスライド移動することができる同期移動装置を提供する。【解決手段】引出し体２と同時に移動するように用いられる同期移動装置９における連動ユニット６は、２つの転動ユニット５、５間を跨って連結して設けられている少なくとも１本の軸棒６１と、軸棒６１及び転動ユニット５間を連結して設けられた継ぎ部材６２と、を有し、支軸５２、軸棒６１、継ぎ部材６２の連結して接触する端部には横断面が非円形に形成された周面部５２２、６１２、６２２が形成されている。引出し体２及び連動ユニット６の間に軸棒６１の湾曲変形による揺れを抑制する緩衝ユニット７が設けられ、緩衝ユニット７は連動ユニット６に接触して設けられたパッド部材７１を有する。【選択図】図２
2013198739.tif 000002
【特許請求の範囲】
【請求項１】
収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置であって、
２つの前記移動案内装置に対応して設けられており、それぞれは前記前後方向に長く延びるように設けられている歯状レールを有する２つのガイドユニットと、
前記ガイドユニットに対応して前記引出し体の左右方向の両側に前記前後方向に沿って移動可能に設けられており、前記移動案内装置と前記ガイドユニットとの間を連結するように設けられた取付座と、前記取付座に回転可能に軸支され前記歯状レールを転がり移動可能に嵌合して設けられた歯車と、を有する２つの転動ユニットと、
２つの前記転動ユニット間を跨って連結して設けられており、前記歯車の中心と同軸に前記転動ユニットに連結されている少なくとも１本の軸棒と、前記転動ユニット及び前記軸棒間を連結するように設けられた継ぎ部材と、を有し、前記軸棒と前記継ぎ部材との連結されて接触するそれぞれの端部には横断面が非円形に形成された周面部が形成されている連動ユニットと、
前記連動ユニットの湾曲変形による揺れを抑制するように前記引出し体及び前記連動ユニットの間に設けられており、前記連動ユニットに接触して設けられたパッド部材を有する少なくとも１つの緩衝ユニットと、を
備えていることを特徴とする引出しの同期移動装置。
【請求項２】
収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒及び転動ユニット間が連結されるように用いられるものであって、その前記軸棒と連結して接触する端部は、横断面が非円形である周面部を有することを特徴とする同期移動装置の継ぎ部材。
【請求項３】
前記軸棒は中空状であり、
前記継ぎ部材は、中空状の前記軸棒に挿入する挿入端部を前記端部として有することを特徴とする請求項２に記載の同期移動装置の継ぎ部材。
【請求項４】
更にその周りに左右方向と垂直につば状に突き出て形成されている止め部材が設けられ、前記止め部材は、その前記左右方向側に前記軸棒と隣接して接触する端面を有することを特徴とする請求項２又は３に記載の同期移動装置の継ぎ部材。
【請求項５】
更に、前記軸棒を挿入させてこれを取り囲む挿入スペースを画成するように形成されているスリーブ部材を有することを特徴とする請求項２〜４のいずれかの一項に記載の同期移動装置の継ぎ部材。
【請求項６】
前記スリーブ部材には、前記止め部材に対して前記挿入スペースに空間的に連通する覗き穴が形成されていることを特徴とする請求項５に記載の同期移動装置の継ぎ部材。
【請求項７】
収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒の自身の重量による湾曲変形を抑制するように用いられるものであって、前記軸棒の湾曲変形による揺れを抑制するように前記軸棒と前記引出し体との間に設けられたパッド部材を有することを特徴とする同期移動装置の緩衝ユニット。
【請求項８】
前記パッド部材は、中心穴が形成され輪状になったものであることを特徴とする請求項７に記載の同期移動装置の緩衝ユニット。
【請求項９】
前記パッド部材は、前記軸棒と接触して前記引出し体の前記前後方向の後側外面に設けられていることを特徴とする請求項７又は８に記載の同期移動装置の緩衝ユニット。
【請求項１０】
更に、前記パッド部材を載せるブラケット部材と、前記ブラケット部材を前記引出し体に連結して定位する固定部材と、を有することを特徴とする請求項７〜９のいずれか一項に記載の同期移動装置の緩衝ユニット。
【請求項１１】
前記引出し体は、その前記前後方向の後側に取付孔が設けられているものであり、
更に前記パッド部材を載せるように前記引出し体に取り付けられたブラケット部材を有し、
前記ブラケット部材は、前記取付孔に対応して固定されるヘッドと、該ヘッドの中心から偏ると共に前記ヘッドから前記前後方向に沿って突き出て前記取付孔を挿通するように形成された差し棒と、を有し、
前記パッド部材は、中心穴が形成され輪状になったものであり、前記軸棒に接触すると共に前記差し棒を取り囲むように設けられていることを特徴とする請求項７に記載の同期移動装置の緩衝ユニット。
【請求項１２】
収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒に用いられるものであり、前記軸棒の自身の重量による湾曲変形による揺れを抑制するように前記軸棒と前記引出し体との間に設けられたパッド部材を有することを特徴とする同期移動装置の緩衝ユニット。
【発明の詳細な説明】
【技術分野】
【０００１】
本発明は、オフィス用家具や家庭用家具などのキャビネットに対して引出し体を滑らかに引き出したり押し込んだりするための引出しの移動案内装置のスライド移動と同時にスライド移動する引出しの同期移動装置、これに用いられる継ぎ部材及び緩衝ユニットに関する。
【背景技術】
【０００２】
キャビネットなどの筐体状の収納体には、これに収納された引出し体を引いて取り出したり、再び収納体に対して引出し体を押し込んで収納するために、引出しのスライド移動をガイドする移動案内装置が取り付けられている。移動案内装置は、主として、引出し体がスライド移動する方向である移動方向に平行な収納体の両側板の内壁に取り付けられており移動方向に沿って長く延びて形成された２つの案内溝と、これら案内溝に対応してスライド移動可能に嵌合されるように引出し体の両側板の外壁に取り付けられており移動方向に沿って延びて形成された２つのガイドレールと、を有する。しかし、ガイドレールが案内溝に沿ってスライド移動できるように案内溝とガイドレールとの間には隙間が設けられているため、引出し体が偏ってスライド移動してしまうという不具合が起こり得る。
【０００３】
引出し体が安定してスライド移動するために、一例として、移動案内装置の他、引出し体を収納体に対して所定の張りを保つように支持しながら移動案内装置のスライド移動と同時にスライド移動する同期移動装置が設けられているものがある（例えば特許文献１参照）。
【０００４】
同期移動装置は、収納体側の２つの案内溝に移動方向に沿って設けられた２つの歯状レールと、２つの歯状レールに移動可能に嵌合して設けられた２つの歯車と、両側の歯車間を所定の張りを保つように連結されており移動案内装置のスライド移動と同時にスライド移動可能に歯車を歯状レールに転動できるように軸支するよう引出し体の両側板に跨って設けられた軸棒と、を備えている。
【先行技術文献】
【特許文献】
【０００５】
【特許文献１】特開２０１０−２５９７８２号公報
【発明の概要】
【発明が解決しようとする課題】
【０００６】
上述したような同期移動装置では、両側の歯車間を軸棒によって所定の張りを保ちながら連結するように構成されているので、引出し体をスライド移動させると、移動案内装置におけるガイドレールのスライド移動と同時に歯車も軸棒によって保持しながら歯状レールをスライド移動することにより、引出し体が偏ることなく安定してスライド移動することができる。しかし、引出し体が大型のものになると、歯車間を軸支する軸棒も例えば約１５０ｃｍ〜２００ｃｍと長くなり、キャビネットの各構成部材のサイズがばらばらになるため、組立てや搬送の手間が掛かり、収納スペースもとってしまう問題点がある。また、軸棒を径幅が異なる複数の長棒が入れ子式に摺動し伸縮可能に組み合わされてなるものや、２本や３本などに分割された軸棒部材９１を継ぎ部材９２で長く連結して軸棒９としたものを使うと、図１３に示されているように軸棒９が自身の重量により変形して湾曲してしまい、軸棒部材９１が継ぎ部材９２の両側の端面９０、９０にうまく接触することができなくなり、２つの歯車間を支持する強度が低下し、歯車間の張りが崩れて、引出し体が安定して円滑にスライド移動することができなくなり、がたがたと音を立ててしまう問題点もある。
【０００７】
本発明は、上記問題点に鑑みてなされたものであり、収納体における構成部材のサイズに大きなばらつきがなく簡単にまとめて包装することができ、且つ引出し体を円滑且つ静かにスライド移動することができる同期移動装置、これに用いられる継ぎ部材及び緩衝ユニットを提供することを目的とする。
【課題を解決するための手段】
【０００８】
上記目的を達成すべく、一の観点によれば、本発明は、収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置であって、２つの前記移動案内装置に対応して設けられており、それぞれは前記前後方向に長く延びるように設けられている歯状レールを有する２つのガイドユニットと、前記ガイドユニットに対応して前記引出し体の前記左右方向の両側に前記前後方向に沿って移動可能に設けられており、前記移動案内装置と前記ガイドユニットとの間を連結するように設けられた取付座、及び前記取付座に回転可能に軸支され前記歯状レールを転がり移動可能に嵌合して設けられた歯車を有する２つの転動ユニットと、２つの前記転動ユニット間を跨って連結して設けられており、前記歯車の中心と同軸に前記転動ユニットに連結されている少なくとも１本の軸棒、及び前記転動ユニット及び前記軸棒間を連結するように設けられた継ぎ部材を有し、前記軸棒と前記継ぎ部材との連結されて接触するそれぞれの端部には横断面が非円形に形成された周面部が形成されている連動ユニットと、前記連動ユニットの湾曲変形による揺れを抑制するように前記引出し体及び前記連動ユニットの間に設けられており、前記連動ユニットに接触して設けられたパッド部材を有する少なくとも１つの緩衝ユニットと、を備えていることを特徴とする引出しの同期移動装置を提供する。
【０００９】
また、他の観点によれば、本発明は、収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒及び転動ユニット間が連結されるように用いられるものであって、その前記軸棒と連結して接触する端部は、その横断面が非円形である周面部を有することを特徴とする同期移動装置の継ぎ部材をも提供する。
【００１０】
また、他の観点によれば、本発明は、収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒の自身の重量による湾曲変形を抑制するように用いられるものであって、前記軸棒の湾曲変形による揺れを抑制するように前記軸棒と前記引出し体との間に設けられたパッド部材を有することを特徴とする同期移動装置の緩衝ユニットをも提供する。
【００１１】
また、他の観点によれば、本発明は、収納体に対して前後に進退する方向である前後方向に沿ってスライド移動する引出し体、及び前記収納体と前記引出し体との間に取り付けられた前記前後方向に沿って移動案内する２つの移動案内装置を同時に移動させることができるように用いられる同期移動装置における少なくとも１本の軸棒に用いられるものであり、前記軸棒の自身の重量による湾曲変形による揺れを抑制するように前記軸棒と前記引出し体との間に設けられたパッド部材を有することを特徴とする同期移動装置の緩衝ユニットをも提供する。
【発明の効果】
【００１２】
本発明に係る同期移動装置によれば、引出し体の大きさによって設けられた軸棒と該軸棒及び転動ユニット間を連結する継ぎ部材とを有するので、組立て部材のサイズに大きなばらつきがなくなり、組立てや包装、搬送が簡単になり、収納体や引出し体の組立て性を向上できる。また、長手状の軸棒の自身の重量によって変形して湾曲するので、移動回転によって揺れが発生するが、緩衝ユニットを設けているため、長手状の連動ユニットの湾曲変形による揺れを抑制することができ、スムーズに回転することができ、歯車もスムーズにころがり移動することができる。従って、引出し体が騒音を立てずにスムーズにスライド移動することができる。
【００１３】
また、軸棒及び転動ユニット間は継ぎ棒によって強固に連結されているので、その構造強度が低減せずに２つの転動ユニット間を連結支持することができるため、収納体や引出し体のサイズによって適切な数を用いることができる。従って、軸棒の組立て性を良好に向上することができる。
【００１４】
また、軸棒及び転動ユニット間は継ぎ部材によって連結されているので、軸棒の自身の重量で変形・湾曲しやすいため、回転すると引出し体に衝突して音を立ててしまうことがあるが、軸棒の変形しやすい箇所に緩衝ユニットを設けていることにより、連動ユニットの回転移動して連動ユニットの揺れによる引出し体への接触の摩擦がなくなる。従って、緩衝ユニットによって、引出し体のスライド移動中にがたがたと音を立たずにすむので、より操作音が静かであり、また、連動ユニットの揺れを緩和することができるので、転動ユニットの転がり移動に悪影響を与えずにすみ、連動ユニットの撓みによって回転軸が水平線からずれても許容範囲内で引出し体に当たらずに回転することができる。
【図面の簡単な説明】
【００１５】
【図１】引出しに用いられる本発明に係る同期移動装置を示す斜視図である。
【図２】本発明に係る同期移動装置の実施例１を示す分解斜視図である。
【図３】本発明に係る同期移動装置の実施例１の一部を示す平面断面図である。
【図４】本発明に係る同期移動装置の実施例１の一部を示す側面断面図である。
【図５】転動ユニットの他の形態例を示す斜視図である。
【図６】本発明に係る同期移動装置の実施例２の一部を示す側面断面図である。
【図７】本発明に係る同期移動装置の実施例３の一部を示す側面断面図である。
【図８】本発明に係る同期移動装置の実施例４の一部を示す斜視図である。
【図９】本発明に係る同期移動装置の実施例４の一部を示す側面断面図である。
【図１０】本発明に係る同期移動装置の実施例５を示す分解斜視図である。
【図１１】本発明に係る同期移動装置の実施例５の一部を示す平面図である。
【図１２】本発明に係る同期移動装置の実施例５の一部を示す側面断面図である。
【図１３】継ぎ部材によって複数の軸棒が隣り合って連結されてなった１本の軸棒の垂れ状態を示す図である。
【発明を実施するための形態】
【００１６】
以下、図面に基づいて本発明の実施例を説明する。
【００１７】
（実施例１）
図１は、引出しに用いられる本発明に係る同期移動装置を示す斜視図である。図中、符号１は、キャビネット等の収納体、符号２は、収納体１に対して前後に進退する方向である前後方向に沿ってスライド移動するように収納体１に対して抜き差し可能に取り付けられた引出し体、符号３は収納体１に対して引出し体２がスライド移動するよう案内するように収納体１及び引出し体２の間に取り付けられた移動案内装置、符号９は、引出し体２と同時に移動することができ、且つ、引出し体２がスムーズにスライド移動できるために移動案内装置３の案内移動と共にスライド移動するように取り付けられている同期移動装置である。なお、引出し体２の収納体１に対するスライド移動する方向を前後方向、前後方向と直角な方向を左右方向とする。
【００１８】
移動案内装置３は、収納体１の左右に対向する側板の内側面に前後方向に長く延びるように取り付けられた第１のガイドレール３１と、第１のガイドレール３１に対応してスライド移動可能に嵌合されて取り付けられた第２のガイドレール３３と、引出し体２の左右に対向する側板の外側面に第２のガイドレール３３に対応してスライド移動可能に嵌合されて取り付けられた第３のガイドレール３２と、を有する。なお、引出し体２の大きさによっては第２のガイドレール３３を省くか、複数の第２のガイドレール３３を設けてもよい。収納体１に対して引出し体２が前後方向に沿ってスライド移動するように駆動されると、第３のガイドレール３２が第２のガイドレール３３をスライド移動しながら、第２のガイドレール３３が第３のガイドレール３２によって引っ掛けられて第３のガイドレール３２の移動と共に第１のガイドレール３１をスライド移動することにより引出し体２が収納体１の外側に引き出されたり収納体１の内側に押し込まれたりするようにスライド移動することができる。なお、移動案内装置３は、収納体１の左右に対向する両方の側板の内側面にそれぞれ設けられており、両方とも同様の構成である。
【００１９】
本考案に係る同期移動装置９は、ガイドユニット４と、転動ユニット５と、連動ユニット６と、緩衝ユニット７と、を備えている。
【００２０】
ガイドユニット４は、各移動案内装置３に対応して前後方向に長く延びるように設けられている。ガイドユニット４は、ガイドレールに平行に長手状に取り付けられれば設置場所は問わないが、この例においては、取付手間を省くために第１のガイドレール３１の上側壁の外側に形成されている。ガイドユニット４は、この例では、第１のガイドレール３１の上側壁の外面に前後方向に沿って長手状に延びるように形成された歯状レール４１と、歯状レール４１のレール面の左右側の縁部より直立に延伸して前後方向に平行に長手状に延びるように互いに対向して設けられたフランジ壁４２、４２と、を有する。
【００２１】
転動ユニット５は、引出し体２のスライド移動と同時に転がり移動することができるようにガイドユニット４に対応して引出し体２の両側にフランジ壁４２、４２内に収納されて設けられており、歯状レール４１に転がり可能に嵌設された歯車５１と、歯車５１より引出し体２側に突き出ていると共にベアリング部材を介して歯車５１と一体に設けられた支軸５２と、支軸５２が挿通されている歯車５１を歯状レール４１と転がり接触可能に支持するように転動ユニット５と第３のガイドレール３２との間を連結するように設けられた取付座５３と、を有する。
【００２２】
歯車５１は、歯状レール４１より脱落しないようにフランジ壁４２、４２によって歯状レール４１内に定位されることができるので、歯車５１は安定して歯状レール４１を転がり移動することができる。
【００２３】
支軸５２には、後記する軸棒６１にスムーズに挿入されるために、歯車５１から離れた延伸端部５２１が収納体１の内方に向かって先細になるガイド面部５２３が設けられている。
【００２４】
取付座５３は、歯車５１が歯状レール４１に転がり接触可能となるように設置されればよく、例えば図２に示されているように、長手状のプレートを用いて屈折して成形されたものを用い、長手側の一端部が第３のガイドレール３２に固定されている例を挙げたが、図５に示されているように２つ折りした断面Ｌ字形の板状部材を用い、長手側の一端部が引出し体２の後板の外面に固定されたものでもよい。
【００２５】
連動ユニット６は、支軸５２を中心とする水平線５４を回る歯車５１の転がり移動に連動して同時に回転するように、支軸５２の延伸方向に沿って左右方向に延びるように支軸５２と同軸に設けられているものである。連動ユニット６は、この例では、両側の支軸５２、５２間を連結するように左右方向に長く延びるように設けられた少なくとも１本の軸棒６１と、軸棒６１及び転動ユニット５間、又は軸棒６１同士間を連結する棒状継ぎ部材６２と、を有する。軸棒６１としては、引出し体２の大きさによって適当な数のものが用いられ、この例では、２本の軸棒６１、６１と一つの継ぎ部材６２とを用いているが、これに限らず例えば３本の軸棒であれば２つの継ぎ部材６２を用いる構成例でもよい。継ぎ部材６２は、隣接した軸棒６１を連結するものでもよく、又は、転動ユニット５の支軸５２及びこれに隣接した軸棒６１間を連結するものでもよい。
【００２６】
軸棒６１は、この例では、中空状のパイプ部材であり、左右方向の相反する軸端部６１１、６１１を有する。軸棒６１は、対応する支軸５２が挿入されて設けられている。
【００２７】
継ぎ部材６２は、軸棒６１の軸端部６１１、６１１に挿入されて連結するように左右方向に延びて形成された棒状部材であり、左右方向の相反する挿入端部６２１、６２１を有する。継ぎ部材６２には、その周りに左右方向と垂直につば状に突き出て形成されて左右方向の両端面が隣接した軸棒と接触する端面を有するように例えば扁平状の輪状に形成された止め部材６３が設けられている。なお、止め部材６３としては継ぎ部材６２の一部として継ぎ部材６２の外周面よりつば状に突き出て形成されたものであってもよい。
【００２８】
挿入端部６２１は、止め部材６３から離れた左右方向の外側に向かって傾斜して先端が細くなる傾斜案内部６２３が形成されていることにより、軸棒６１の軸端部６１１にスムーズに挿入されることができる。
【００２９】
軸棒６１は、３つ以上用いられる場合、左右方向の外方の軸棒６１の外側の軸端部６１１に対応する支軸５２が挿入され、内側の軸端部６１１と隣り合った軸棒６１の対応する軸端部６１１との端面が止め部材６３の対応端面と接触するように継ぎ部材６２によって連結される。
【００３０】
この例では、転動ユニット５と連動ユニット６とは相対して転がり移動又は滑り移動せず且つ同時にスライド移動するために、支軸５２の延伸端部５２１と軸棒６１の軸端部６１１と継ぎ部材６２の挿入端部６２１とにはそれぞれが互いに対応して嵌合可能な横断面が非円形に形成された第１の非円形周面部５２２、第２の非円形周面部６１２、第３の非円形周面部６２２が設けられている。なお、第１の非円形周面部５２２は支軸５２の外側周面に、第２の非円形周面部６１２は軸棒６１の内周面に、第３の非円形周面部６２２は継ぎ部材６２の外周面にそれぞれ形成されている。なお、この例では非円形とは、対応する周面の横断面が十字形状に形成されているがこれに制限されず、方形状、三角形状、多角形状、楕円形状などであってもよい。
【００３１】
連動ユニット６は、歯車５１の転がり移動に連動して回転するように転動ユニット５の歯車５１、５１を連結支持するべく長く形成された物であるため、スライド移動中の引出し体２を停止させようとするとその反作用による衝撃で揺動してしまうことで歯車５１も歯状レール４１にうまく嵌合できなくなることを防止するために、この例では、連動ユニット６の揺れを緩和する緩衝ユニット７を設けている。
【００３２】
緩衝ユニット７は、連動ユニット６及び引出し体２間に取り付けられており、この例では、図４に示されているように、連動ユニット６に接触して設けられたパッド部材７１を有する。パッド部材７１は、軟質材料、例えばゴム、プラスチック又はウレタン樹脂などから例えば輪状に作られたもので、引出し体２及び連動ユニット６の間に配置されており隣接する軸棒６１の間をつなげた継ぎ部材６２の外周部を包囲するように設けられている。なお、緩衝ユニット７は、連動ユニット６における変形して折れ易い所、例えば軸棒６１の中間に設けられるとよく、その数やサイズを問わず適切に設けられればよい。
【００３３】
ここで、軸棒６１については収納体１のサイズに応じて組み立てやすくまとめて均一に包装するために、組立て用の分割サイズを１０ｃｍ毎に増すように予め決められていることに注意されたい。もし収納体１の横幅が４０ｃｍ〜２００ｃｍである場合、軸棒が少なくとも最小横幅４０ｃｍになるように１０ｃｍ毎に分割することにする。これによって統一の規格で簡単に包装することができ、搬送にも便利で、組立て時も物差し、カッター等の工具などを用いることなく専門業者に任せずに自ら簡単に組立てを行うことができる。
【００３４】
次に、以上のように構成された同期移動装置の動作及び作用を説明する。
【００３５】
引出し体２がスライド移動すると、左右両側に設けられた移動案内装置３が連動して第２のガイドレール３３と第３のガイドレール３２とがスライド移動する。転動ユニット５がガイドレール３３、３２のスライド移動に連動して転がり移動し、連動ユニット６は転動ユニット５の転がり移動に連動して同時に移動する。転動ユニット５の歯車５１は連動ユニット６によって連結されているため、同じ歯数であれば、同じ回転数で同時に転動するので、収納体１に対する引出し体２の左右両方の第２のガイドレール３２の移動距離が同じになる。従って、引出し体２の左右のスライド移動が均一にバランスをとることができるので、引出し体２が歪んでスライド移動することがなくなり、揺動せずにスムーズに安定してスライド移動することができる。
【００３６】
また、軸棒６１は長手状の継ぎ棒６２によって首尾よく長く連結されているので、その構造強度が低減せずに支軸５２、５２間を連結支持することができるため、収納体１や引出し体２のサイズによって適切な数を用いることができる。従って、軸棒の組立て性を良好に向上することができる。
【００３７】
また、引出し体２の左右方向の横幅が大きい場合、組み立てられた連動ユニット６も長くなり、自身の重さで左右方向の両側部の間が下側に変形して湾曲し、水平線５４からはずれてしまうことがあるが、連動ユニット６の変形しやすい箇所に緩衝ユニット７が設けられていることにより、連動ユニット６が転動ユニット５の転がり移動に連動して水平線５４を中心として回転移動しようとするとき、パッド部材７１により連動ユニット６が揺れて直接引出し体２に接触摩擦することがなくなる。従って、緩衝ユニット７によって、引出し体２のスライド移動中にがたがたと音を立たずにすむことができ、操作音がより静かであると共に、連動ユニット６の揺れを緩和して小さくして、転動ユニット５の転がり移動に悪影響を与えずにすみ、水平線５４からはずれても許容範囲内で回転することができる。
【００３８】
以上により、本発明に係る同期移動装置９において、引出し体２の大きさによって分割した複数の軸棒６１と複数の軸棒６１を首尾よく長手状に連結する継ぎ部材６２とを有することで、格納に必要なスペースも少なくなり、組立てや包装、搬送が簡単になり、収納体１や引出し体２の組立て性を向上できる。また、長手状の軸棒の湾曲変形による揺れを緩和する緩衝ユニット７を有することで、連動ユニット６の揺れを抑制することができ、スムーズに回転することができ、歯車５１もスムーズにころがり移動することができる。従って、引出し２が騒音を立てずにスムーズにスライド移動することができる。
【００３９】
（実施例２）
図６は、本発明に係る同期移動装置の実施例２を示す一部断面図である。以下、この図を参照して実施例２に係る同期移動装置９を説明するが、前述した実施例との相違点を中心に説明し、同様の事項はその説明を省略する。
【００４０】
パッド部材７１は、連動ユニット６の継ぎ部材６２と接触して引出し体２の前後方向の後板の外面に貼り付けられている。これによって、連動ユニット６の揺れをも抑制することができ、連動ユニット６が揺れて引出し体２に当たることで音をたててしまうことを防止することもできる。
【００４１】
（実施例３）
図７は、本発明に係る同期移動装置の実施例３を示す一部断面図である。以下、この図を参照して実施例に係る同期移動装置９を説明するが、前述した実施例との相違点を中心に説明し、同様の事項はその説明を省略する。
【００４２】
緩衝ユニット７は、更に引出し体２の後板の外面に取り付けられた、例えば２つ折りして断面をＬ字形にしたブラケット部材７２と、ブラケット部材７２を引出し体２に取り付けた固定部材７３と、を有する。ブラケット部材７２は、引出し体２に固定された固定端部７２１と、該固定端部７２１の下縁から直立して外方に延伸される載置端部７２２と、を有する。固定部材７３は、この例では、接着剤であるが、ねじ、くぎなどでもよい。
【００４３】
パッド部材７１は、連動ユニット６の継ぎ部材６２と接触して載置端部７２２上に設けられている。これによって、連動ユニット６を支持しその湾曲変形、揺れをも抑制することができ、連動ユニット６が揺れて引出し体２に当たることで音をたててしまうことを防止することもできる。
【００４４】
（実施例４）
図８は、本発明に係る同期移動装置の実施例４を示す一部斜視図、図９は本発明に係る実施例４を示す一部断面図である。以下、この図を参照して実施例に係る同期移動装置９を説明するが、前述した実施例との相違点を中心に説明し、同様の事項はその説明を省略する。
【００４５】
引出し体２は、その後板に取付孔２１が設けられ、ブラケット部材７２は直接引出し体２に取り付けられている。
【００４６】
ブラケット部材７２は、取付孔２１に対応して固定されるヘッド７２３と、ヘッド７２３の中心から偏るようにヘッド７２３から前後方向に沿って連動ユニット６側に突き出て延伸され取付孔２１を挿通するように形成された差し棒７２４と、を有する。
【００４７】
パッド部材７１は、例えば中心穴が形成され輪状になったものであり、連動ユニット６と接触すると共に差し棒７２４を取り囲むように設けられている。これによって、連動ユニットの曲がり変形、揺れをも抑制することができ、連動ユニット６が揺れて引出し体２に当たることで音をたててしまうことを防止することもできる。
【００４８】
また、差し棒７２４はヘッド７２３の中心からずれて突き出るように形成されているので、ヘッド７２３の取付孔２１への取付角度を調節することができる。これによって、差し棒７２４の水平線５４に対する距離を調節することできるので、継ぎ部材６２の自身の重量による湾曲変形を抑制することができる。
【００４９】
（実施例５）
図１０〜図１２は、本発明に係る同期移動装置の実施例５を示す図である。以下、これらの図を参照してこの実施例に係る同期移動装置９を説明するが、前述した実施例との相違点を中心に説明し、同様の事項はその説明を省略する。
【００５０】
継ぎ部材６２は、更に挿入端部６２１を取り囲むように中空状にしたスリーブ部材６２４を設けている。スリーブ部材６２４は、挿入端部６２１を取り囲む挿入スペース６２５が画成される内周面６２７を有し、また、止め部材６３によって２分割されていると共に挿入スペース６２５に空間的に連通するように設けられた２つの覗き穴６２６を有する。この覗き穴６２６によって軸端部６１１が止め部材６３に当接して定位されることを確認することができる。なお、２つの覗き穴６２６は、空間的に連通して１つの穴にすることもできる。
【００５１】
なお、スリーブ部材６２４の内周面６２７には、左右方向に沿って長く延伸される留め溝が形成されており横断面が非円形に形成されている。軸棒６１の軸端部６１１は、スリーブ部材６２４の止め溝に対応してリブ状の突き部６１３が形成されており横断面が非円形に形成されている。これによって、軸棒６１及び継ぎ部材６２間の組立てを強固にすることができる。
【００５２】
なお、緩衝ユニット７としては、実施例２〜４のいずれかを適用してもよい。
【００５３】
以上により、本発明に係る同期移動装置９は、長手状の連動ユニット６を引出し体２の大きさに応じて適当なサイズに分割された複数の軸棒６１によって一連に長手状に組み立てることができるので、簡単に包装、搬送することができ、組立ても簡単に行うことができる。また、複数の軸棒６１によって一連に長手状に連結されると、軸棒６１は自身の重量により変形・湾曲しやすくなるが、剛性を有する棒状継ぎ部材６２によって軸棒６１を首尾よく連結することができるので、軸棒６１の湾曲変形を抑えることができ、軸棒６１の湾曲変形による揺れを抑制することができる。また、緩衝ユニット７を連動ユニット６に設けていることによって、連動ユニット６の変形湾曲により揺れが生じても緩衝ユニット７によって連動ユニット６の揺れを抑制することができ、引出し体２への接触を防止することができる。従って、本発明に係る同期移動装置９によれば、引出し体２を静かにスムーズにスライド移動することができる。
【産業上の利用可能性】
【００５４】
本発明に係る同期移動装置は、スライド移動する引き出し、とりわけ大型の引出しに有用である。
【符号の説明】
【００５５】
１  収納体                          ６１２  第２の非円形周面部
２  引出し体                        ６１３  突き部
２１  取付孔                        ６２  継ぎ部材
３  移動案内装置                    ６２１  挿入端部
３１  第１のガイドレール            ６２２  第３の非円形周面部
３２  第３のガイドレール            ６２３  傾斜案内部
３３  第２のガイドレール            ６２４  スリーブ部材
４  ガイドユニット                  ６２５  挿入スペース
４１  歯状レール                    ６２６  覗き穴
４２  フランジ壁                    ６２７  内周面
５  転動ユニット                    ６３  止め部材
５１  歯車                          ７  緩衝ユニット
５２  支軸                          ７１  パッド部材
５２１  延伸端部                    ７２  ブラケット部材
５２２  第１の非円形周面部          ７２１  固定端部
５２３  ガイド面部                  ７２２  載置端部
５３  取付座                        ７２３  ヘッド
５４  水平線                        ７２４  差し棒
６  連動ユニット                    ７３  固定部材
６１  軸棒                          ９  同期移動装置
６１１  軸端部
【図１】
2013198739.tif 000003
【図２】
2013198739.tif 000004
【図３】
2013198739.tif 000005
【図４】
2013198739.tif 000006
【図５】
2013198739.tif 000007
【図６】
2013198739.tif 000008
【図７】
2013198739.tif 000009
【図８】
2013198739.tif 000010
【図９】
2013198739.tif 000011
【図１０】
2013198739.tif 000012
【図１１】
2013198739.tif 000013
【図１２】
2013198739.tif 000014
【図１３】
2013198739.tif 000015